(57)【要約】【課題】本考案は香炉などの灰の表面を誰にでも簡単に且つ短時間で灰ならしを行うことができ、灰ならしの手間が軽減されると共に、灰の表面を美しく整えることができる灰ならし具を提供することを目的とする。【解決手段】扁平な筒状の灰ならし本体１と、該灰ならし本体１の縁部に設けた回動自在な把持部２と、から構成し、灰ならし本体１の底面1aを外側に湾曲させるものとする。又、扁平な筒状の灰ならし本体１と、該灰ならし本体１の縁部から内側に突出すると共に指入れ用の穴を有する突出部と、から構成し、灰ならし本体１の底面1aを外側に湾曲させたものとする。前記灰ならし本体１の形状として、円形，楕円形，扇形の内の１つとし、前記灰ならし本体１の縁部から内側に突出片３を突出させ、該突出片３に把持部２を回動自在に設けたものとするのが好ましい。【選択図】図１
0003215265.tif 000002
【実用新案登録請求の範囲】
【請求項１】
扁平な筒状の灰ならし本体（１）と、該灰ならし本体（１）の縁部に設けた回動自在な把持部（２）と、から構成し、前記灰ならし本体（１）の底面（1a）を外側に湾曲させたことを特徴とする灰ならし具。
【請求項２】
扁平な筒状の灰ならし本体（１）と、該灰ならし本体（１）の縁部から内側に突出すると共に指入れ用の穴（41）を有する突出部（４）と、から構成し、前記灰ならし本体（１）の底面（1a）を外側に湾曲させたことを特徴とする灰ならし具。
【請求項３】
前記灰ならし本体（１）の形状が、円形，楕円形，扇形の内の１つである請求項１又は２記載の灰ならし具。
【請求項４】
前記灰ならし本体（１）の縁部から内側に突出片（３）を突出させ、該突出片（３）に前記把持部（２）を回動自在に設け、該把持部（２）が、回転自在なツマミ（21）と、そのツマミ（21）を前記突出片（３）に取付けるための取付具（23）と、から少なくとも構成された請求項１記載の灰ならし具。
【考案の詳細な説明】
【技術分野】
【０００１】
本考案は香炉や線香立て等の灰の表面を平らに整える際、特には寺院等で行われる行事の際に使用する灰ならし具に関する。
【背景技術】
【０００２】
一般に香炉や線香立ての灰の表面は、凹凸になり易く、且つ、線香の灰が松葉状に残る。この灰の表面を平にならす際に、いろいろな灰ならしを使用して、灰の表面を平らにならしても、表面に凹凸や筋目などが残り易く、灰の表面を平らにならして表面をきれいに仕上げることは難しい作業であり、且つ、灰ならしの手間が多く掛っているのが現状である。
【０００３】
このため、灰の表面に均一な力が加わると共に視認しながら灰ならし作業が行えるようにした「灰ならし」が、実用新案登録第３１７６３３０号で提案されている。これは、つまみ部とへら部のいずれかが透明の部材で形成されたものであり、また円盤状のへら部の中心に、柱状のつまみ部が固定されたものである。
【０００４】
しかしながら、実用新案登録第３１７６３３０号は、円盤状のへら部を灰に押圧すると、へら部の底面が平らであるため、その底面に灰が密着してへばりつく現象が生じ易くなり、灰がへばりつくと、灰の表面は荒れて平になりにくくなる場合があった。更に、へら部の底面の外周は、テーパーの付いた円周側面と平らな底面とによって、掲載された図２に示すように鋭角になっている。従って、円盤状のへら部を灰に押圧すると、円形の筋が残り易いので、その円形の筋を、へら部で軽く押し当てて消す必要があり、二重手間になることが多かった。
【先行技術文献】
【特許文献】
【０００５】
【特許文献１】実用新案登録第３１７６３３０号公報
【考案の概要】
【考案が解決しようとする課題】
【０００６】
本考案は香炉などの灰の表面を誰にでも簡単に且つ短時間で灰ならしを行うことができ、灰ならしの手間が軽減されると共に灰の表面を美しく整えることができる灰ならし具を提供することを目的とする。
【課題を解決するための手段】
【０００７】
本考案は上記現状に鑑みて成されたものであり、つまり、扁平な筒状の灰ならし本体と、該灰ならし本体の縁部に設けた回動自在な把持部と、から構成し、灰ならし本体の底面を外側に湾曲させたものとする。又、扁平な筒状の灰ならし本体と、該灰ならし本体の縁部から内側に突出すると共に指入れ用の穴を有する突出部と、から構成し、灰ならし本体の底面を外側に湾曲させたものとする。前記灰ならし本体の形状として、円形，楕円形，扇形の内の１つとし、前記灰ならし本体の縁部から内側に突出片を突出させ、該突出片に把持部を回動自在に設けたものとするのが好ましい。
【考案の効果】
【０００８】
請求項１のように扁平な筒状の灰ならし本体（１）と、該灰ならし本体（１）の縁部に設けた回動自在な把持部（２）と、から構成し、前記灰ならし本体（１）の底面（1a）を外側に湾曲させることにより、把持部（２）を持って灰ならし本体（１）を連続して回転させると、香炉などの灰の表面を、短時間で且つ簡単に誰にでも美しく整えることができる。
【０００９】
請求項２のように扁平な筒状の灰ならし本体（１）と、該灰ならし本体（１）の縁部から内側に突出すると共に指入れ用の穴（41）を有する突出部（４）と、から構成し、灰ならし本体（１）の底面（1a）を外側に湾曲させることにより、請求項１と同様の効果が得られると共に、上部に突出する把持部（２）がないので、灰ならし本体（１）を多数個重ねて保管することができ、運搬時や保管時に嵩張らないものとなる。しかも、請求項１のものよりも安価に製作できる。
【００１０】
請求項３に示すように灰ならし本体（１）の形状を円形にすると、香炉などの灰の表面を、短時間で滑らかにすることができ、また楕円形や扇形に形成しても、円形の時と同様に短時間で滑らかにすることができる。特に扇形に形成したものを使用すると、四角形状の香炉の場合でも、灰の表面の隅々までが美しく整えることができる。
【００１１】
請求項４に示すように灰ならし本体（１）の縁部から内側に突出片（３）を突出させ、該突出片（３）に把持部（２）を回動自在に設け、該把持部（２）が、回転自在なツマミ（21）と、そのツマミ（21）を突出片（３）に取付けるための取付具（23）と、から少なくとも構成されることにより、把持部（２）を持って灰ならし本体（１）を連続して回転させると、香炉などの灰の表面を、短時間で且つ簡単に美しく整えることができ、更に誰にでも灰ならし作業が容易に行なえる。
【図面の簡単な説明】
【００１２】
【図１】本考案の実施形態を示す説明図である。
【図２】図１の斜視図である。
【図３】本考案の他の実施形態を示す斜視図である。
【図４】本実施形態の灰ならし本体の形状を示す平面図である。
【図５】本考案の作用を示す説明図である。
【図６】本考案の使用状態を示す説明図である
【考案を実施するための形態】
【００１３】
本考案の実施形態を図１、図２に基づいて説明する。（１）は扁平な円筒状の灰ならし本体であり、該灰ならし本体（１）の底面（1a）は図１の如く外側に湾曲されている。また前記灰ならし本体（１）の形状としては、図４（ａ）のような円形にするのが好ましいが、図４（ｂ）のような楕円形や図４（ｃ）に示すような扇形にしても良いが、六角形や八角形などの多角形に形成しても良い。又、図４（ｄ）に示すような円形の縁部の内側にリング（1b）を設けても良い。
前記灰ならし本体（１）の材料としては、黄銅などの金属を用いるのが好ましく、自重で灰の表面を適度に押え付けると共に、香炉内を回転させる際に、灰ならし本体（１）が浮き上がらない程度の重量を有したものが好ましい。また灰ならし本体（１）の直径としては、例えば７ｃｍ程度とすれば、法事等で使用する香炉の灰ならしに適したものとなる。尚、前記灰ならし本体（１）の直径は、上記の大きさに限定されるものではない。また前記灰ならし本体（１）の材料は、上記のものに限定されるものではない。
【００１４】
（２）は灰ならし本体（１）の縁部に設けた回動自在な把持部であり、該把持部（２）には、回転自在なツマミ（21）と、そのツマミ（21）の端部に取付けたネジ棒（22）と、該ネジ棒（22）に螺合するためのナットなどの取付具（23）と、がある。また前記ツマミ（21）の先端には略球状体が設けられ、後端には鍔が設けられている。前記取付具（23）をネジ棒（22）に螺合させて締付けた際、ツマミ（21）には上下方向のガタが少し設けられている。
【００１５】
（３）は灰ならし本体（１）の縁部から内側に突出させた突出片であり、該突出片（３）には把持部（２）のネジ棒（22）を挿入させるための穴が穿設されている。尚、前記突出片（３）は、図４（ｄ）に示すように灰ならし本体（１）の縁部にリング（1b）が設けられた場合には不要である。
【００１６】
図３は本考案の他の実施形態を示す図であり、これは上記実施形態と比べ、把持部（２）を設けず、灰ならし本体（１）の縁部から内側に突出する突出部（４）に指入れ用の穴（41）を有するものであり、他は同じである。
【００１７】
次に本考案の使用方法について説明する。先ず始めにスプーン或いは割りばし等で、香炉の灰を予め解しておく。そして、香炉を持ち上げて、左右に揺すって灰全体をならす。すると、灰の表面が略平らになる。
その後、図６に示すように、灰ならし本体（１）を香炉の灰の表面に静かに置き、ツマミ（21）を摘んで灰ならし本体（１）を回転させながら、灰の表面を整える。この時、灰ならし本体（１）を灰の表面で回転しながら移動させると、外側に湾曲した底面（1a）は灰の表面に密着することなくスムーズに移動すると共に、香炉の灰の表面は、灰ならし本体（１）の自重で押さえられながら連続して灰ならし作業を続けることができる。しかも、ツマミ（21）を中心にして灰ならし本体（１）が回転されるので、灰ならし本体（１）の底面（1a）よりも広い範囲を一度に平らに整えることが可能となる。この結果、香炉の灰の表面は、短時間で簡単に、且つ、平らに整えることが出来るのである。
【００１８】
図５は本考案の灰ならし本体（１）の作用を示す図であり、これについて説明する。先ず図５（ａ）の（イ）の位置からツマミ（21）を摘んで灰ならし本体（１）を香炉の内壁に沿って回転しながら移動させると、一点鎖線の矢印のように香炉の内壁から離れて中央側に移動し、ツマミ（21）が一点鎖線の位置である（ロ）の位置に来る。その後、ツマミ（21）が二点鎖線の位置である（ハ）の位置に来ると、灰ならし本体（１）は香炉の中央側へ回転しながら移動する。次にツマミ（21）を香炉の内壁に軽く押付けるように移動させ、上記動作を繰り返して香炉の灰の表面をならしながら平らに整える。この時、ツマミ（21）を香炉の内壁側に押付けるようして、香炉の灰の表面を灰ならし本体（１）の底面（1a）で回転させながら撫でると共に、図５（ｂ）のように、香炉の中央で灰ならし本体（１）を回転させると、ツマミ（21）は図中の実線の矢印のように回り、それに伴って灰ならし本体（１）も実線の位置から一点鎖線の位置へ、更に二点鎖線の位置へ自転しながら移動することにより、中央周辺の灰の表面が素早く平らに整えられる。このように図５（ａ）と図５（ｂ）の動作を組合せて香炉の灰の表面全体を平らに整えて仕上げる。尚、灰ならし本体（１）の移動（軌跡）は、力加減で香炉の内壁に沿って移動し、或いは、図５（ｂ）のように香炉の中央でツマミ（21）を略中心にして、灰ならし本体（１）が回転し続けるが、軌跡は不確実であるので、これ以上の説明は省略する。
【００１９】
図３に示す本考案品を使用する場合は、穴（41）に指を入れ、灰ならし本体（１）を回転させると、上記同様に、灰ならし本体（１）を香炉の灰の表面で回転させて灰の表面を平らに整えることができる。
【符号の説明】
【００２０】
１  灰ならし本体
1a  底面
２  把持部
３  突出片
４  突出部
41  穴
【図１】
0003215265.tif 000003
【図２】
0003215265.tif 000004
【図３】
0003215265.tif 000005
【図４】
0003215265.tif 000006
【図５】
0003215265.tif 000007
【図６】
0003215265.tif 000008